【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
少なくとも一つの記録層を備えた１回だけ記録可能な光記録媒体の欠陥管理方法において、
前記光記録媒体上に少なくとも一つの固定の大きさを有する一時欠陥管理領域と、少なくとも一つの可変の大きさを有する一時欠陥管理領域とをそれぞれ割り当てるステップと、
前記少なくとも一つの固定の大きさを有する一時欠陥管理領域及び／または少なくとも一つの可変の大きさを有する一時欠陥管理領域上に欠陥管理情報を記録するステップと、
を備えることを特徴とする光記録媒体の欠陥管理方法。
【請求項２】
前記割り当てステップにおいて、前記少なくとも一つの固定の大きさを有する一時欠陥管理領域は、前記光記録媒体のリードイン領域またはリードアウト領域の少なくとも一方に割り当てられることを特徴とする請求項１に記載の光記録媒体の欠陥管理方法。
【請求項３】
前記割り当てステップにおいて、前記少なくとも一つの可変の大きさを有する一時欠陥管理領域は、前記光記録媒体の少なくとも一つのスペア領域内に割り当てられることを特徴とする請求項２に記載の光記録媒体の欠陥管理方法。
【請求項４】
前記少なくとも一つのスペア領域は、内側のスペア領域と外側のスペア領域とを含むことを特徴とする請求項３に記載の光記録媒体の欠陥管理方法。
【請求項５】
前記割り当てステップは、
一部が欠陥領域の代替領域として使用される少なくとも一つの内側のスペア領域を割り当てるステップと、
一部が欠陥領域の代替領域として使用される少なくとも一つの外側のスペア領域を割り当てるステップと、
前記内側のスペア領域または外側のスペア領域の一部を欠陥管理情報を管理するための一時欠陥管理領域として割り当てるステップと
を備えることを特徴とする請求項１に記載の光記録媒体の欠陥管理方法。
【請求項６】
前記割り当てステップにおいて、前記少なくとも一つの一時欠陥管理領域は第一の外側のスペア領域に割り当てられ、第一の外側のスペア領域の全体の大きさに応じた可変の大きさを有することを特徴とする請求項１に記載の光記録媒体の欠陥管理方法。
【請求項７】
前記割り当てステップにおいて、前記少なくとも一つのスペア領域が割り当てられない場合、前記少なくとも一つの可変の大きさを有する一時欠陥管理領域が割り当てられず、前記少なくとも一つの固定の大きさを有する一時欠陥管理領域だけが割り当てられることを特徴とする請求項３に記載の光記録媒体の欠陥管理方法。
【請求項８】
前記割り当てステップにおいて、前記少なくとも一つのスペア領域が割り当てられる場合、前記少なくとも一つの可変の大きさを有する一時欠陥管理領域が割り当てられず、前記少なくとも一つの固定の大きさを有する一時欠陥管理領域だけが割り当てられることを特徴とする請求項３に記載の光記録媒体の欠陥管理方法。
【請求項９】
前記光記録媒体は、１回だけ記録可能なブルーレイディスク（ＢＤ−ＷＯ）であることを特徴とする請求項１に記載の光記録媒体の欠陥管理方法。
【請求項１０】
前記記録ステップにおいて、前記欠陥管理情報は、少なくとも一つの一時欠陥リスト（ＴＤＦＬ）と少なくとも一つの一時ディスク定義構造（ＴＤＤＳ）とを含むことを特徴とする請求項１に記載の光記録媒体の欠陥管理方法。
【請求項１１】
前記少なくとも一つの一時ディスク定義構造（ＴＤＤＳ）は、固定の大きさを有し、前記一時欠陥リスト（ＴＤＦＬ）は、可変の大きさを有することを特徴とする請求項１０に記載の光記録媒体の欠陥管理方法。
【請求項１２】
前記一時ディスク定義構造（ＴＤＤＳ）と一時欠陥リスト（ＴＤＦＬ）は、別々に記録されることを特徴とする請求項１０に記載の光記録媒体の欠陥管理方法。
【請求項１３】
前記一時ディスク定義構造（ＴＤＤＳ）と一時欠陥リスト（ＴＤＦＬ）とが統合され記録されることを特徴とする請求項１０に記載の光記録媒体の欠陥管理方法。
【請求項１４】
前記記録ステップにおいて、前記少なくとも一つの固定の大きさを有する一時欠陥管理領域と前記少なくとも一つの可変の大きさを有する一時欠陥管理領域とは、欠陥管理情報を記録するために連続的（ｓｅｑｕｅｎｔｉａｌ）に使用されることを特徴とする請求項１に記載の光記録媒体の欠陥管理方法。
【請求項１５】
前記記録ステップにおいて、前記少なくとも一つの固定の大きさを有する一時欠陥管理領域と前記少なくとも一つの可変の大きさを有する一時欠陥管理領域とは、欠陥管理情報を記録するために予め決められた順番なしにランダム（ｒａｎｄｏｍ）に使用されることを特徴とする請求項１に記載の光記録媒体の欠陥管理方法。
【請求項１６】
前記記録ステップにおいて、前記少なくとも一つの固定の大きさを有する一時欠陥管理領域と前記少なくとも一つの可変の大きさを有する一時欠陥管理領域とは、記録される欠陥管理情報の重要度（ｓｉｇｎｉｆｉｃａｎｃｅ）に応じた順序で使用されることを特徴とする請求項１に記載の光記録媒体の欠陥管理方法。
【請求項１７】
前記記録ステップにおいて、前記少なくとも一つの固定の大きさを有する一時欠陥管理領域と前記少なくとも一つの可変の大きさを有する一時欠陥管理領域とは、前記光記録媒体内に存在する欠陥領域の数に応じた順序で使用されることを特徴とする請求項１に記載の光記録媒体の欠陥管理方法。
【請求項１８】
前記記録ステップにおいて、前記欠陥管理情報は、前記少なくとも一つの固定の大きさを有する一時欠陥管理領域と前記少なくとも一つの可変の大きさを有する一時欠陥管理領域上に、前の欠陥管理情報のアップデート時間と現在の欠陥管理情報のアップデート時間との時間間隔（ｔｉｍｅ  ｄｕｒａｔｉｏｎ）に応じて記録されることを特徴とする請求項１に記載の光記録媒体の欠陥管理方法。
【請求項１９】
前記前の欠陥管理情報のアップデート時間と現在の欠陥管理情報のアップデート時間との時間間隔が、基準時間間隔を超える場合には、前記欠陥管理情報を前記少なくとも一つの固定の大きさを有する一時欠陥管理領域上に記録することを特徴とする請求項１８に記載の光記録媒体の欠陥管理方法。
【請求項２０】
前記記録ステップにおいて、前記欠陥管理情報は、前記光記録媒体の使用時には前記少なくとも一つの可変の大きさを有する一時欠陥管理領域上に記録され、前記光記録媒体の取り出し時には前記少なくとも一つの固定の大きさを有する一時欠陥管理領域上に記録されることを特徴とする請求項１に記載の光記録媒体の欠陥管理方法。
【請求項２１】
データの記録時に欠陥領域が発生した場合、欠陥領域に記録されるデータを予め決められた領域上に代替記録し、前記記録ステップにおいて、前記欠陥領域に関わる欠陥管理情報は、前記発生した欠陥領域に最も近い一時欠陥管理領域がどちらであるかに応じて、前記少なくとも一つの固定の大きさを有する一時欠陥管理領域または前記少なくとも一つの可変の大きさを有する一時欠陥管理領域のいずれかにランダムに記録することを特徴とする請求項１に記載の光記録媒体の欠陥管理方法。
【請求項２２】
前記光記録媒体の初期のローディング時に先ず、前記少なくとも一つの固定の大きさを有する一時欠陥管理領域にアクセスすることを特徴とする請求項１に記載の光記録媒体の欠陥管理方法。
【請求項２３】
前記記録ステップにおいて、前記欠陥管理情報は、前記一時欠陥管理領域のどの領域がフル（ｆｕｌｌ）であるかの通知を与えるフル指示情報を含むことを特徴とする請求項１に記載の光記録媒体の欠陥管理方法。
【請求項２４】
前記光記録媒体をファイナライズすべきである場合、欠陥管理情報を永続的欠陥管理領域上に記録するステップを更に備えることを特徴とする請求項１に記載の光記録媒体の欠陥管理方法。
【請求項２５】
前記光記録媒体のスペア領域がフルになった場合、欠陥管理情報を永続的欠陥管理領域上に記録するステップを更に備えることを特徴とする請求項１に記載の光記録媒体の欠陥管理方法。
【請求項２６】
前記一時欠陥管理領域がフルになり更なる欠陥管理が行えない場合、欠陥管理情報を前記光記録媒体の永続的欠陥管理領域上に記録するステップを更に備えることを特徴とする請求項１に記載の光記録媒体の欠陥管理方法。
【請求項２７】
１回だけ記録可能な光記録媒体の欠陥管理装置において、
前記光記録媒体上に少なくとも一つの固定の大きさを有する一時欠陥管理領域と、少なくとも一つの可変の大きさを有する一時欠陥管理領域とをそれぞれ割り当てる手段と、
前記少なくとも一つの固定の大きさを有する一時欠陥管理領域及び／または前記少なくとも一つの可変の大きさを有する一時欠陥管理領域上に欠陥管理情報を記録する手段と、
を備えることを特徴とする光記録媒体の欠陥管理装置。
【請求項２８】
少なくとも一つの記録層を有する１回だけ記録可能な光記録媒体であって、
少なくとも一つの固定の大きさを有する一時欠陥管理領域と、
少なくとも一つの可変の大きさを有する一時欠陥管理領域とを備え、前記少なくとも一つの固定の大きさを有する一時欠陥管理領域及び／または前記少なくとも一つの可変の大きさを有する一時欠陥管理領域上に欠陥管理情報が記録されることを特徴とする１回だけ記録可能な光記録媒体。
【請求項２９】
前記少なくとも一つの固定の大きさを有する一時欠陥管理領域は、前記光記録媒体のリードイン領域およびリードアウト領域の少なくとも一方に配置されることを特徴とする請求項２８に記載の光記録媒体。
【請求項３０】
前記少なくとも一つの可変の大きさを有する一時欠陥管理領域は、前記光記録媒体の少なくとも一つのスペア領域内に配置されることを特徴とする請求項２９に記載の光記録媒体。
【請求項３１】
前記少なくとも一つのスペア領域は、内側のスペア領域と外側のスペア領域とを含むことを特徴とする請求項３０に記載の光記録媒体。
【請求項３２】
一部が欠陥領域の代替領域として使用される少なくとも一つの内側のスペア領域と、
一部が欠陥領域の代替領域として使用される少なくとも一つの外側のスペア領域と、
を更に備え、前記内側のスペア領域または外側のスペア領域の一部を欠陥管理情報を管理するための一時欠陥管理領域として使用することを特徴とする請求項２８に記載の光記録媒体。
【請求項３３】
前記少なくとも一つの一時欠陥管理領域は第一の外側のスペア領域に配置され、第一の外側のスペア領域の全体の大きさに応じた可変の大きさを有することを特徴とする請求項２８に記載の光記録媒体。
【請求項３４】
前記光記録媒体は、１回だけ記録可能なブルーレイディスク（ＢＤ−ＷＯ）であることを特徴とする請求項２８に記載の光記録媒体。
【請求項３５】
前記欠陥管理情報は、少なくとも一つの一時欠陥リスト（ＴＤＦＬ）と少なくとも一つの一時ディスク定義構造（ＴＤＤＳ）とを含むことを特徴とする請求項２８に記載の光記録媒体。
【請求項３６】
前記少なくとも一つの一時ディスク定義構造（ＴＤＤＳ）は、固定の大きさを有し、前記一時欠陥リスト（ＴＤＦＬ）は、可変の大きさを有することを特徴とする請求項３５に記載の光記録媒体。
【請求項３７】
前記一時ディスク定義構造（ＴＤＤＳ）と前記一時欠陥リスト（ＴＤＦＬ）とは、別々に記録されることを特徴とする請求項３５に記載の光記録媒体。
【請求項３８】
前記一時ディスク定義構造（ＴＤＤＳ）と前記一時欠陥リスト（ＴＤＦＬ）とが統合され記録されることを特徴とする請求項３５に記載の光記録媒体。
【請求項３９】
前記少なくとも一つの固定の大きさを有する一時欠陥管理領域と前記少なくとも一つの可変の大きさを有する一時欠陥管理領域は、欠陥管理情報を記録するために連続的（ｓｅｑｕｅｎｔｉａｌ）に使用されることを特徴とする請求項２８に記載の光記録媒体。
【請求項４０】
前記少なくとも一つの固定の大きさを有する一時欠陥管理領域と前記少なくとも一つの可変の大きさを有する一時欠陥管理領域とは、欠陥管理情報を記録するために予め決められた順番なしにランダム（ｒａｎｄｏｍ）に使用されることを特徴とする請求項２８に記載の光記録媒体。
【請求項４１】
前記少なくとも一つの固定の大きさを有する一時欠陥管理領域と前記少なくとも一つの可変の大きさを有する一時欠陥管理領域は、記録される欠陥管理情報の重要度（ｓｉｇｎｉｆｉｃａｎｃｅ）に応じた順序で使用されることを特徴とする請求項２８に記載の光記録媒体。
【請求項４２】
前記少なくとも一つの固定の大きさを有する一時欠陥管理領域と前記少なくとも一つの可変の大きさを有する一時欠陥管理領域とは、前記光記録媒体内に存在する欠陥領域の数に応じた順序で使用されることを特徴とする請求項２８に記載の光記録媒体。
【請求項４３】
前記欠陥管理情報は、前記少なくとも一つの固定の大きさを有する一時欠陥管理領域及び前記少なくとも一つの可変の大きさを有する一時欠陥管理領域上に、前の欠陥管理情報のアップデート時間と現在の欠陥管理情報のアップデート時間との時間間隔（ｔｉｍｅ  ｄｕｒａｔｉｏｎ）に応じて記録されることを特徴とする請求項２８に記載の光記録媒体。
【請求項４４】
前記前の欠陥管理情報のアップデート時間と現在の欠陥管理情報のアップデート時間との時間間隔が、基準時間間隔を超える場合には、前記欠陥管理情報を前記少なくとも一つの固定の大きさを有する一時欠陥管理領域上に記録することを特徴とする請求項４３に記載の光記録媒体。
【請求項４５】
前記欠陥管理情報は、前記光記録媒体の使用時には前記少なくとも一つの可変の大きさを有する一時欠陥管理領域上に記録され、前記光記録媒体の取り出し時には前記少なくとも一つの固定の大きさを有する一時欠陥管理領域上に記録されることを特徴とする請求項２８に記載の光記録媒体。
【請求項４６】
データの記録時に欠陥領域が発生した場合、記録すべきデータを予め決められた領域上に代替記録し、前記記録ステップにおいて、前記欠陥領域に関わる欠陥管理情報は、前記発生した欠陥領域に最も近い一時欠陥管理領域がどちらであるかに応じて、前記少なくとも一つの固定の大きさを有する一時欠陥管理領域または前記少なくとも一つの可変の大きさを有する一時欠陥管理領域のいずれかにランダムに記録することを特徴とする請求項２８に記載の光記録媒体。
【請求項４７】
前記光記録媒体の初期のローディング時に先ず、前記少なくとも一つの固定の大きさを有する一時欠陥管理領域にアクセスすることを特徴とする請求項２８に記載の光記録媒体。
【請求項４８】
前記欠陥管理情報は、前記一時欠陥管理領域のどの領域がフル（ｆｕｌｌ）であるかの通知を与えるフル指示情報を含むことを特徴とする請求項２８に記載の光記録媒体。
【請求項４９】
前記光記録媒体をファイナライズすべきときに欠陥管理情報を記録する永続的欠陥管理領域を更に備えることを特徴とする請求項２８に記載の光記録媒体。
【請求項５０】
前記光記録媒体のスペア領域がフルになったときに欠陥管理情報を記録する永続的欠陥管理領域を更に備えることを特徴とする請求項２８に記載の光記録媒体。
【請求項５１】
前記一時欠陥管理領域がフルになり更なる欠陥管理が行えない場合に欠陥管理情報を記録する永続的欠陥管理領域を更に備えることを特徴とする請求項２８に記載の光記録媒体。
【手続補正２】
【補正対象書類名】明細書
【補正対象項目名】０００１
【補正方法】変更
【補正の内容】
【０００１】
本発明は、１回だけ記録可能な（ｗｒｉｔｅ−ｏｎｃｅ）光記録媒体と、欠陥領域情報を管理する方法及び装置に係り、特に、１回だけ記録可能な光記録媒体における一時欠陥管理領域を割り当てる方法及び装置と、欠陥管理のためのスペア領域を割り当てる方法と、一時欠陥管理領域とスペア領域が割り当てられたブルーレイディスクのような１回だけ記録可能な光記録媒体に係る。
【手続補正３】
【補正対象書類名】明細書
【補正対象項目名】００１０
【補正方法】変更
【補正の内容】
【００１０】
関連して、第二のタイプのブルーレイディスクとして、媒体上にデータが繰り返し記録できずに単に１回だけ記録可能なディスクとしてのＢＤ−ＷＯ（Ｂｌｕ−ｒａｙ  Ｄｉｓｃ  Ｗｒｉｔｅ−Ｏｎｃｅ）がある。前記ＢＤ−ＷＯは、繰り返し書き換えを不要とする場合に有用である。ＢＤ−ＷＯでも欠陥領域の管理が必要になった。
【手続補正４】
【補正対象書類名】明細書
【補正対象項目名】００２０
【補正方法】変更
【補正の内容】
【００２０】
以下、図面を参照して本発明の実施例を詳細に説明すれば、次の通りである。なお、全図面において同一の図面符号は、同一の部分を意味するように使用された。
図３によれば、本発明のＢＤ−ＷＯのための光ディスクの記録再生装置２０は、次の構成要素を含んでいる。光ディスクの記録再生装置２０は、ＢＤ−ＷＯのような記録媒体２１にデータを記録したり記録媒体からデータを読み込むピックアップ２２と、ピックアップを制御しピックアップの対物レンズと記録媒体２１との間隔を一定に保持し、記録媒体２１上のトラックをトラッキングし一定に保持するピックアップサーボ２３と、ピックアップで読み込んだ信号を処理したり、記録のためにピックアップに入力すべき信号を信号処理するデータプロセッサ２４と、外部ホスト３０とのデータをやり取りするインターフェイス２５と、欠陥管理に関わる情報を格納するメモリ２７と、記録再生装置２０の各構成要素の動作を制御するマイコン２６とを含む。また、光記録再生装置２０内の全ての構成要素は、動作可能に相互接続されている。ホスト３０は、前記記録媒体を読み書きする記録再生装置２０内のインターフェイス２５に接続されており、相互データとコマンドをやり取りする。
【手続補正５】
【補正対象書類名】明細書
【補正対象項目名】００２３
【補正方法】変更
【補正の内容】
【００２３】
本発明に係る一時欠陥管理領域（ＴＤＭＡ１またはＴＤＭＡ２）は、ＢＤ−ＷＯのリードイン領域及びデータ領域内に設けられる。ここで、前記ＴＤＭＡ（一時欠陥管理領域）は、前記最終あるいは永続的欠陥管理領域（ＤＭＡ１、ＤＭＡ２、ＤＭＡ３、ＤＭＡ４）とは区別される。特に、前記一時欠陥管理領域（ＴＤＭＡ）は、ＢＤ−ＷＯがファイナライズ（ｆｉｎａｌｉｚｅ）するまで一時的に欠陥管理情報を記録し管理するのに使用される領域である。以降、欠陥管理情報は、図４に示す記録層上の最終あるいは永続的欠陥管理領域（ＤＭＡ１〜ＤＭＡ４）内に記録される。例えば、ＢＤ−ＷＯにおけるユーザーデータ領域上へのデータの記録が完了すれば、前記ＢＤ−ＷＯの完了が行われるはずである。前記ＴＤＭＡは、リードイン領域内に固定の大きさ（例えば、２０４８クラスタ）を有する。
【手続補正６】
【補正対象書類名】明細書
【補正対象項目名】００４７
【補正方法】変更
【補正の内容】
【００４７】
前記ＴＤＦＬは、媒体の使用途中に欠陥と判明されたクラスタのリストを含む情報である。これに関連して、ＴＤＤＳは、欠陥管理に関わるディスクのフォーマット及び状態を特定する情報を含む一般の全ての管理情報を提供する。ディスクのフォーマット情報は、欠陥領域の管理のためのディスク上の領域の特定のレイアウトに関わる情報を含んでおり、ディスク状態情報は、後述する多様なフラグ（ｆｌａｇ）を含む情報である。前記ＴＤＦＬは、ＢＤ−ＷＯ上の欠陥領域と代替領域のアドレスを含んでいる。一時欠陥管理領域（ＴＤＭＡ、ＩＤＭＡ）内に記録されたＴＤＤＳとＴＤＦＬは、永続的欠陥管理領域（例えばＤＭＡ１〜ＤＭＡ４）内に記録される永続的情報（ＤＤＳとＤＦＬ）になる。即ち、例えば、ディスクがファイナライズする場合、ＴＤＤＳとＴＤＦＬは、少なくとも一つのＤＭＡに転送され記録される。ＢＤ−ＷＯへのユーザーデータの記録動作の途中に、前記ＴＤＤＳとＴＤＦＬは、周期的にまたは同時にアップデートされ、前記アップデートは、ＴＤＭＡ及び／またはＩＤＭＡに対し行われる。前記特有の動作は、後述する本発明の説明を通じてより明確になるはずである。
【手続補正７】
【補正対象書類名】明細書
【補正対象項目名】００６２
【補正方法】変更
【補正の内容】
【００６２】
他のディスクの使用方法として、複数の一時欠陥管理領域（ＴＤＭＡ、ＩＤＭＡ）のいずれかを選択するために種々の目的が用いられる。一つの方法は、‘重要度（ｓｉｇｎｉｆｉｃａｎｃｅ）’に基づいてディスクの使用を決めることである。即ち、例えば、アップデートされる欠陥管理情報の重要度が低ければ、前記ＩＤＭＡを欠陥管理情報を記録する領域として活用し、アップデートされる欠陥管理情報の重要度が高ければ、前記ＴＤＭＡを欠陥管理情報を記録する領域として活用するようになる。関連して、前記‘重要度’を決め付ける基準も多様に設定可能である。関連して、欠陥管理情報を新たにアップデートする周期が条件になるか、または設計者の選択の基になることもある。即ち、ディスクの取り出し時を、欠陥管理情報を記録する重要な時点と設定することができる。この場合、ディスクの使用時を比較的に重要度の低い時点とみなし、前記欠陥管理情報をＩＤＭＡに記録し、ディスクの取り出し時を重要度の高い時点とみなし、前記欠陥管理情報を前記ＴＤＭＡに記録するようになる。
【手続補正８】
【補正対象書類名】明細書
【補正対象項目名】００６４
【補正方法】変更
【補正の内容】
【００６４】
このように、使用目的によって、特に重要度によって欠陥管理情報をＴＤＭＡに記録すれば、ＴＤＭＡがディスクの内周に位置するため、ディスクに記録された情報をロードする時に重要な情報を真っ先に且つ的確に得ることが可能になる。
【手続補正９】
【補正対象書類名】明細書
【補正対象項目名】００６８
【補正方法】変更
【補正の内容】
【００６８】
図１１は、本発明のＤＭＡ、ＴＤＭＡ、ＩＤＭＡが使用目的に応じて何時記録され、如何なる情報を有しているかをテーブルにて示しており、例えば、前記欠陥管理情報は、ＢＤ−ＷＯの使用中にはＩＤＭＡに記録され、ＢＤ−ＷＯの取り出し時にはＴＤＭＡに記録される。また、ＤＭＡのフィルイン（ｆｉｌｌ−ｉｎ）過程が発生した場合、例えば、ディスクがファイナライズし更なる記録を行わないか、スペア領域またはＴＤＭＡ／ＩＤＭＡがフルになって更なる欠陥管理が行えない場合には、前記欠陥管理情報がＤＭＡに記録される。前記フル情報は、図１０に示すようにＴＤＤＳ内に記録されている。関連して、仮にＴＤＭＡとＩＤＭＡを使用目的に応じて別々に使用しない場合、図１１に示すようにＴＤＭＡ及びＩＤＭＡに記録する時間の区分は必要ではないことが自明である。図１１に示すテーブルは、ＤＭＡ、ＴＤＭＡ、ＩＤＭＡが使用目的に応じて何時記録され、如何なる情報を有しているかを示すものであって、前述した図４〜図１０に示すディスクの構造及び方法と図３に示す装置にも適用可能である。